(57)【特許請求の範囲】
【請求項１】
車体（２）に運転席（１）を備えるキャビン（３４）と、前輪（１３）と後輪（１４）を備えたトラクタにおいて、
キャビン（３４）内のフロア（３）の左右両側部に運転席（１）に乗り降りするガラスドア（３５）を設け、ガラスドア（３５）の外側下部で、かつ、前輪（１３）と後輪（１４）との間に角チューブ材状のステップ支柱（１４）を設け、
ステップ支柱（１４）は、下端部が上端部よりも外側に位置すると共に前下がり傾斜姿勢に設け、ステップ支柱（１４）には、運転者が昇降するための複数段のステップ（４）を上下配置し、
下段側のステップ（４）には、平面視方形状のステップ枠（１９）の内側に滑り止突縁を上縁に形成したステップ桟（２０）を所定間隔に設け、
最上段のステップ（４）の下側には収容箱（６）を取り付け、収容箱（６）の外側面（５）を車体（２）側に向けて下がり傾斜に形成すると共に背面側をステップ支柱（１４）の傾斜面に沿う背面壁（１７）を形成し、前記外側面（５）と背面壁（１７）の下端縁との間に形成される箱底面（１８）を下段部のステップ（４）との間の段差間隔部の中間部に位置して形成し、
収容箱（６）の開口部（１６）を開閉すると共に運転者の踏み面となる箱蓋（７）を設け、該箱蓋（７）は、小穴（９）を多数形成する上蓋（１０）と無穴で開口部（１６）を閉蓋できる下蓋（１１）の二重蓋に構成し、
箱蓋（７）を、前記ステップ（４）よりも下位で、外側端寄り位置の開閉ヒンジ（８）周りに内外側方向へ開閉回動可能に設け、ステップ（４）上側面から前記外側面（５）側へ回動させて前記開口部（１６）上面を開閉する構成とするトラクタ。
【請求項２】
前記収容箱（６）の箱蓋（７）上面を外側下りの傾斜面に形成して水滴を流下案内させることを特徴とする請求項１に記載のトラクタ。
【請求項３】
前記収容箱（６）は、平面視で縦A、横B寸法をこのステップ（４）よりもやや小さくして略類似形態に形成したことを特徴とする請求項１又は請求項２に記載のトラクタ。
【発明の詳細な説明】
【技術分野】
【０００１】
乗用走行形態のトラクタのステップに関し、この昇降用のステップ部の下側面に、工具箱等の道具収容等の収容箱を、運転者の昇降し易い形態に設ける。
【背景技術】
【０００２】
耕盤の深い圃場面や、泥土水の飛散し易い土壌面を走行しながら作業する高床形態のトラクタ車体にあっては、高位置に形成される昇降用ステップを利用して、収容箱を取付構成する技術（例えば、特許文献１参照）が知られている。
【先行技術文献】
【特許文献】
【０００３】
【特許文献１】特開２０１２−９６５６１号公報
【発明の概要】
【発明が解決しようとする課題】
【０００４】
トラクタの左右外側面部の複数段の昇降用ステップを設ける形態で、この上部ステップの下側面に収容箱を構成する場合は、ステップの上面に収容箱が接近して、運転者の足元部の邪魔になり易く、つま先部等が収容箱に接当して、ステップを踏み難く、踏み外して、損傷しやすくなる。
【課題を解決するための手段】
【０００５】
請求項１に記載の発明は、
車体（２）に運転席（１）を備えるキャビン（３４）と、前輪（１３）と後輪（１４）を備えたトラクタにおいて、
キャビン（３４）内のフロア（３）の左右両側部に運転席（１）に乗り降りするガラスドア（３５）を設け、ガラスドア（３５）の外側下部で、かつ、前輪（１３）と後輪（１４）との間に角チューブ材状のステップ支柱（１４）を設け、
ステップ支柱（１４）は、下端部が上端部よりも外側に位置すると共に前下がり傾斜姿勢に設け、ステップ支柱（１４）には、運転者が昇降するための複数段のステップ（４）を上下配置し、
下段側のステップ（４）には、平面視方形状のステップ枠（１９）の内側に滑り止突縁を上縁に形成したステップ桟（２０）を所定間隔に設け、
最上段のステップ（４）の下側には収容箱（６）を取り付け、収容箱（６）の外側面（５）を車体（２）側に向けて下がり傾斜に形成すると共に背面側をステップ支柱（１４）の傾斜面に沿う背面壁（１７）を形成し、前記外側面（５）と背面壁（１７）の下端縁との間に形成される箱底面（１８）を下段部のステップ（４）との間の段差間隔部の中間部に位置して形成し、
収容箱（６）の開口部（１６）を開閉すると共に運転者の踏み面となる箱蓋（７）を設け、該箱蓋（７）は、小穴（９）を多数形成する上蓋（１０）と無穴で開口部（１６）を閉蓋できる下蓋（１１）の二重蓋に構成し、
箱蓋（７）を、前記ステップ（４）よりも下位で、外側端寄り位置の開閉ヒンジ（８）周りに内外側方向へ開閉回動可能に設け、ステップ（４）上側面から前記外側面（５）側へ回動させて前記開口部（１６）上面を開閉する構成とする。
【０００６】
トラクタ運転者が、運転席１、及びフロア３上面に昇降するときは、前輪１２と後輪１３との間に位置するステップ４に足を踏み掛けてフロア３に昇降する。運転者がこのステップ４をつま先部で踏むとき、このステップ４の上側面上にのぞむ収容箱６は、外側面５が、奥側下方に向けて逃げる傾斜面に形成されているために、上下ステップ４間の間隔部に対するつま先部の出し入れが行い易く、運転者の昇降を容易にする。
【０００７】
【０００８】
前記箱蓋７は、ステップ４の外側面下位に設定されるヒンジ８の周りに上下回動できて、ステップ部の上面自体を上側へ回動することにより、収容箱６の上側面口(開口部)１６を閉蓋することができ、外側へ回動することにより、この収容箱６の開口部１６を開けることができる。このように箱蓋７を閉蓋状態にしたとき、箱蓋７の上側面を踏んで昇降する上段部のステップ面となる。
前記箱蓋７は、小穴９を形成した上蓋１０と、板状形態の無穴で収容箱６に開口部１６を閉蓋しうる下蓋１１とによって、二重蓋形態に構成するもので、開口部１６を閉蓋したときは、この上蓋１０上面を踏んで昇降する。このとき、泥土等が足元部から落ちると小穴９を介して下側の下蓋１１上面に受けられて、掃除される。  
【０００９】
請求項２に記載の発明は、前記収容箱６の開口面を開閉する箱蓋７上面を外側下りの傾斜面に形成して水滴を流下案内させることができる。
前記収容箱６の開口部１６を開閉する箱蓋７上面を外側下りの傾斜面に形成するため、雨水や、洗浄水、乃至、飛散汚水等の流下除去を速かに、円滑に行わせる。又、運転者が昇降するときも、高床車体２に対する踏付昇降のつま先部の掛け外しも円滑に行わせることができる。
【００１０】
【００１１】
【００１２】
請求項３に記載の発明は、前記ステップ下側に設ける収容箱６は、平面視で縦A、横B寸法をこのステップ４よりもやや小さくして略類似形態に形成する。
前記のように収容箱６の上側部に箱蓋７を設けて、この開口部１６を開閉する形態にあっては、前記ステップ４の下側に設ける収容箱６は、縦A、横B幅を、ステップ４の各寸法よりもやや小さくして、略類似形態に形成しているため、前記箱蓋７を開く得ることによって、収容箱６内全体を開放することができ、箱６内への物品の出し入れを行い易い。
【発明の効果】
【００１３】
請求項１に記載の発明は、前記のように上段部のステップ４の下側に設ける収容箱６の外側面５を内側下部に向けて傾斜の傾斜面に形成するものであるから、運転者が昇降するときは、この収容箱６下側のステップ４面に対する踏込足先部の出し入れが円滑に、速かに行われて、昇降の邪魔になり難く、この収容箱６の位置する上下のステップ４の段差間隔を低く形成して、収容箱６の深さや、奥行き等を大きく形成することができ、構成を簡潔化することができる。
【００１４】
また、前記上蓋１０を収容箱６の開口部１６上に閉蓋させて、ステップ面とすることができるが、この上蓋１０上面には多数の小穴９が形成されるため、ステップ面における泥水や、泥土等の漏下除去を行い易くすることができ、下蓋１１によって開口部１６への浸入を防止することができ、これらステップ部の上蓋１０、下蓋１１を開くことによって、収容箱６上の開口部１６を大きく開放することができ、収容箱６収容量を大きく維持することができる。
また、この箱蓋７の上面を踏んでもヒンジ８が、この箱蓋７によるステップ４踏面位置よりも下位置で、かつこの外側端寄り位置に設けられるため、回動揺動し難く、安定した踏付支持を維持することができる。
また、下段のステップ４のステップ桟２０の間隔部からは土壌や、泥水等が漏下し易くすることができる。
【００１５】
請求項２に記載の発明は、前記収容箱６に開口部１６を開閉する箱蓋７を閉蓋状態にして、ステップ面として使用することができるが、この箱蓋７の閉蓋状態において、上面に雨水や、水滴が降りかかっても、流下除去し易く、足元部を清潔に維持し、安全な昇降を行うことができる。
【００１６】
【００１７】
請求項３に記載の発明は、収容箱６の上側には、この箱蓋７よりも広いステップ４を形成して、この箱蓋７を開けることによって、収容箱６内全体を広く開放することができるため、物品の出し入れを行い易くすることができる。
【図面の簡単な説明】
【００１８】
【図１】トラクタの側面図。
【図２】そのステップ部の正面図。
【図３】その側面図。
【図４】その平面図。
【図５】その斜視図。
【図６】一部別実施例を示すステップ部の正面図。
【図７】その側面図。
【図８】その平面図。
【図９】一部熱実施例を示すステップ部の平面図。
【図１０】その側面図。
【図１１】一部熱実施例を示すステップ部の背面図。
【図１２】その斜視図。
【図１３】収容箱の蓋を開いたことを示す斜視図
【発明を実施するための形態】
【００１９】
図例に基づいて、高床形態の乗用トラクタ車体２は、運転席１、ダッシュボード３０上にステアリングハンドル３１を有し、これらの間の底部にフロア３を敷設し、前側のエンジン２９を覆うボンネット３２の後端部から後側のフェンダー３３に亘る運転室の上周部を覆ってキャビン３４を設け、この左右両側部には開閉可能のガラスドア３５を設けて、運転者はこのガラスドア３５を開閉してキャビン３４内の運転席１に乗り降りすることができる。前記ガラスドア３５は、キャビン３４フロア３の左右両側部上に開閉操作可能に設けられる。このドア３５口部の外側下部に、複数段のステップ４を配置したステップ支枠１４が取付けられる。このステップ４は、前輪１３と後輪１４との前後間隔部の略中間位置に配置されて、車体２が傾斜したり、前輪１３又は後輪１４が深い土壌面に沈下しても、前記ステップ４の下端面が土壌面や畝畔等に接触しないように設定している。このようなトラクタ車体２の後側には、リフトリンク機構２８、リフトアーム２７等を配置して、各種農作業機を装着して作業することができる。
【００２０】
ここで、最上段部のステップ４を、収容箱６と、この上端の開口部１６を開閉する箱蓋７とによって構成する形態(図２〜図５)と、収容箱６をステップ４の下側で外側へ開閉回動させる形態（図６〜図８）と、及び，ステップ４兼用の箱蓋７を収容箱６の開口部上から外側へ開閉回動させる形態(図９〜図１１)等を説明する。
【００２１】
ここにおいて，運転席１を有したトラクタ車体２のフロア３の外側端縁下部に、複数段の昇降用ステップ４を設け、このステップ４の下側部に、前記車体２の内側下端部に向けて傾斜の箱外側面５を形成した収容箱６を取付けたトラクタのステップの構成とする。
【００２２】
トラクタ運転者が、運転席１、及びフロア３上面に昇降するときは、前輪１２と後輪１３との間に位置するステップ４に足を踏み掛けてフロア３に昇降する。運転者がこのステップ４をつま先部で踏むとき、このステップ４の上側面上にのぞむ収容箱６は、外側面５が、奥側下方に向けて逃げる傾斜面に形成されているために、上下ステップ４間の間隔部に対するつま先部の出し入れが行い易く、運転者の昇降を容易にする。
【００２３】
又，前記収容箱６の上側面口を開閉する箱蓋７を、前記ステップ４よりも下位で、外側端寄り位置に設定の開閉ヒンジ８周りに内外側方向へ開閉回動可能に設けて、このステップ４上側面から箱外側面５側へ回動させて箱口上面を開閉する。
【００２４】
前記箱蓋７は、ステップ４の外側面下位に設定されるヒンジ８の周りに上下回動できて、ステップ部の上面自体を上側へ回動することにより、収容箱６の上側面口(開口部)１６を閉蓋することができ、外側へ回動することにより、この収容箱６の開口部１６を開けることができる。このように箱蓋７を閉蓋状態にしたとき、箱蓋７の上側面を踏んで昇降する上段部のステップ面となるが、この箱蓋７の上面を踏んでもヒンジ８が、この箱蓋７によるステップ４踏面位置よりも下位置で、かつこの外側端寄り位置に設けられるため、回動揺動し難く、安定した踏付支持を維持する。又、ステップ面となる箱蓋７の閉蓋状態は、このヒンジ８部のみによる踏付支持ではなく、箱蓋７全外周部を下側の収容箱６の外周縁部に嵌合支持させて、安定した踏付支持を行わせ、箱蓋７の開閉を円滑に行わせる。
【００２５】
又，前記収容箱６の開口面を開閉する箱蓋７上面を外側下りの傾斜面に形成して水滴を流下案内させることができる。
前記収容箱６の開口部１６を開閉する箱蓋７上面を外側下りの傾斜面に形成するため、雨水や、洗浄水、乃至、飛散汚水等の流下除去を速かに、円滑に行わせる。又、運転者が昇降するときも、高床車体２に対する踏付昇降のつま先部の掛け外しも円滑に行わせることができる。
【００２６】
又，前記ヒンジ８周りに開閉回動する箱蓋７を、多数の小穴９を形成する上蓋１０と、板面状形態で閉蓋する下蓋１１とによって二重蓋形態に開閉回動可能に設ける。
前記箱蓋７は、小穴９を形成した上蓋１０と、板状形態の無穴で収容箱６に開口部１６を閉蓋しうる下蓋１１とによって、二重蓋形態に構成するもので、開口部１６を閉蓋したときは、この上蓋１０上面を踏んで昇降する。このとき、泥土等が足元部から落ちると小穴９を介して下側の下蓋１１上面に受けられて、掃除される。このように二重蓋形態の構成では、上蓋１０部をステップ面として踏付使用しても強度を十分に維持することができ、ステップ構成を簡単化、軽量化することができる。又、上蓋１０の小穴９の形成によって泥水や、泥土等の溜りを少くして、清潔にすることができる。前記小穴９から漏下する泥土等を下蓋１１上面で受けて、外側へ流下案内させたり、洗浄することができ、上蓋１０と下蓋１１との間に適宜の間隔を形成したり、下蓋１１に対して上蓋１０が各別に開放回動できる形態とすれば、これらの間隔部の掃除、メンテナンス等を簡単、容易にすることができる。特に、上蓋１０の下面や、下蓋１１の上面に、ステップ用補強部材等を組込むような形態では、これら上蓋１０と下蓋１１との間を開放することによって、洗浄性を容易化できる。
【００２７】
更には，前記ステップ下側に設ける収容箱６は、平面視で縦A、横B寸法をこのステップ４よりもやや小さくして略類似形態に形成する。
前記のように収容箱６の上側部に箱蓋７を設けて、この開口部１６を開閉する形態にあっては、前記ステップ４の下側に設ける収容箱６は、縦A、横B幅を、ステップ４の各寸法よりもやや小さくして、略類似形態に形成しているため、前記箱蓋７を開く得ることによって、収容箱６内全体を開放することができ、箱６内への物品の出し入れを行い易い。
【００２８】
主として図２〜図５に基づいて、収容箱６と箱蓋７とによってステップ４を構成する形態を説明する。前記昇降ステップ４は、運転席１前側のフロア３の外側下部にあって、前輪１２と後輪１３との間隔部に配置される。図例では、フロア３の下方に角チューブ材等からなるステップ支柱１４の上端部のブラケット１５で着脱自在に取付けられている。ステップ４は上下三段に取付けられて、各ステップ４の内端縁部で前後長さの中央部位置が、前記ステップ支柱１４の外側面にブラケット２５で固定されて、各ステップ４の上面を略水平面になるように取付構成されている。前記ステップ支柱１４は、下端部が上端部よりも若干外側に位置するように、又、前側に位置させて、傾斜姿勢に設定し、従って、このステップ支柱１４に沿って配置する各ステップ４も傾斜方向の配置形態となる。このようなステップ４に取付ける収容箱６は、最上段部のステップ４の下側面部に取付けている。
【００２９】
収容箱６は、板金製、又は硬質合成樹脂製等から形成されて、上面を開口部１６として、背面側を前記ステップ支柱１４の傾斜面に沿う背壁面１７を形成し、外側面５を内側下部に傾斜する傾斜面に設定している。これら背壁面１７と外側面５との下端縁等との間に形成される箱底面１８は、奥行き幅をできるだけ狭く形成されて、下段部のステップ４との間の段差間隔部の中間部に位置して形成される。
【００３０】
前記各ステップ４は、平面視方形状のステップ枠１９の内側に上縁にラック形態の滑り止突縁を形成したステップ桟２０を一体構成したもので、このステップ桟２０の間隔部からは土壌や、泥水等が漏下し易く形成される。
【００３１】
前記最上段のステップ４は、前記ステップ枠１９に代えて、前記収容箱６の開口部１６周縁部を取付固定し、又は着脱自在にして取付けている。この最上段のステップ４には、ステップ桟２０に代えて、開口部１６上を開閉する下蓋１１と、上蓋１０とを二重蓋形態にして構成し、十分なステップ強度，剛性を維持できる形態としている。前記内側に位置する下蓋１１の外側縁２１は、上蓋１０の外側縁２２と共に下側へ折曲されて、これら外側縁２１、２２の下端縁が、収容箱６の外側壁面２３上部のヒンジ８周りに開閉回動可能に構成される。この蓋１０、１１の開閉形態では、外周縁部２４を、収容箱６、又はステップ枠１９の外周縁部に嵌合して、開口部１６を閉鎖できる形態としている。
【００３２】
前記上蓋１０は、小穴９を形成して、昇降者の踏付支持を安定させ易くし、泥土の漏下を良好にしている。この下側の下蓋１１は、平板面形態として、泥水の流下排除を行い易くしているが、この下蓋１１の上面を外側、乃至前後側へ傾斜させて、排水性をより良好に維持させることもできる。
【００３３】
前記のように最上段部のステップ４は、ステップ支柱１４に対して取付けられていて、このステップ４に対して収容箱６を取付ける形態としているが、これらステップ４と収容箱６とを一体構成として、ステップ支柱１４に取付けるように構成することもできる。
【００３４】
次に、主として図６〜図８に基づいて、前記ステップ４の下側に構成する収容箱６を、ステップ４の下側部に向けて突出する支持ピン３６の周りに内外方向へ水平回動させることができる形態を示している。収容箱６の開口部１６は開閉可能の箱蓋７が設けられて、この収容箱６を取付けた形態では、箱蓋７の上面とステップ４の下面との間に適宜の間隔を形成して、収容箱６を閉蓋の状態で支持ピン３６周りに内外方へ回動可能の形態に構成している。前記箱蓋７の閉蓋状態は、パッチン錠３７によって固定することができる。又、この箱側面にはボルト３８締めで固定できるストッパー３９を設けて、このストッパー３９をステップ４の側面に押付けることによって、収容箱６の取付位置を固定することができる。
【００３５】
次に、主として図９〜図１２に基づいて、前記収容箱６の背面をステップ支枠１４に取付けて、この収容箱６の上面開口部１６を開閉する箱蓋７を、ステップ４として、この収容箱６の外側壁上縁に設けるヒンジ（図示せず）の周りに上方回動させて(図９)、箱蓋７を開くことができる。又、このヒンジ（図示せず）を収容箱６の前後側壁縁上に設けることも可能である(図１２)。
【符号の説明】
【００３６】
１    運転席
２    トラクタ車体
３    フロア
４    昇降用ステップ
５    箱外側面
６    収容箱
７    箱蓋
８    開閉ヒンジ
９    小穴
１０    上蓋
１１    下蓋
【図１】
0006375713.tif 000002
【図２】
0006375713.tif 000003
【図３】
0006375713.tif 000004
【図４】
0006375713.tif 000005
【図５】
0006375713.tif 000006
【図６】
0006375713.tif 000007
【図７】
0006375713.tif 000008
【図８】
0006375713.tif 000009
【図９】
0006375713.tif 000010
【図１０】
0006375713.tif 000011
【図１１】
0006375713.tif 000012
【図１２】
0006375713.tif 000013
【図１３】
0006375713.tif 000014